(57)【要約】【課題】遠隔操作機能を備えた給湯装置において、遠隔操作に基づいた不意の温度変更を防止する。【解決手段】給湯装置１００は、給湯器１０と、浴室内の人の存在の有無を検知する人検知センサ３６と、通信端末４１Ａ，４１Ｂおよび給湯器１０の間で双方向に通信するための通信手段とを備える。通信端末４１Ａ，４１Ｂは、給湯温度および浴槽の湯水の温度の少なくとも一方を変更するための温度変更指令を受け付けるように構成される。通信手段は、人検知センサ３６により浴室内に人が不在であることが検知されているときには、通信端末４１Ａ，４１Ｂからの温度変更指令を給湯器１０に転送する。一方で、人検知センサ３６により浴室内に人が在室していることが検知されているときには、通信手段は、通信端末４１Ａ，４１Ｂからの温度変更指令を拒絶する。【選択図】図１
2019113287.tif 000002
【特許請求の範囲】
【請求項１】
浴室を含む給湯先に接続される給湯回路と、前記浴室内の浴槽の湯水を加熱する追焚循環回路とを有する給湯器と、
前記浴室内の人の存在の有無を検知する人検知センサと、
通信端末および前記給湯器の間で双方向に通信するための通信手段とを備え、
前記通信端末は、給湯温度および前記浴槽の湯水の温度の少なくとも一方を変更するための温度変更指令を受け付けるように構成され、
前記通信手段は、前記人検知センサにより前記浴室内に人が不在であることが検知されているときには、前記通信端末からの前記温度変更指令を前記給湯器に転送する一方で、前記人検知センサにより前記浴室内に人が在室していることが検知されているときには、前記通信端末からの前記温度変更指令を拒絶する、給湯装置。
【請求項２】
前記通信手段は、前記通信端末からの前記温度変更指令を拒絶した場合には、前記通信端末に前記温度変更指令の拒絶を報知する、請求項１に記載の給湯装置。
【請求項３】
前記通信手段は、前記給湯器および前記人検知センサと通信するとともに、前記通信端末と無線通信するように構成されたリモコンを含み、
前記リモコンは、前記通信端末からの前記温度変更指令を受信した場合において、前記人検知センサにより前記浴室内に人が在室していることが検知されているときには、前記給湯器に前記温度変更指令を転送しない、請求項１または２に記載の給湯装置。
【請求項４】
前記通信手段は、
前記給湯器および前記人検知センサと通信するように構成されたリモコンと、
前記リモコンと前記通信端末との間で無線通信するためのサーバとを含み、
前記サーバは、前記通信端末からの前記温度変更指令を受信した場合において、前記人検知センサにより前記浴室内に人が在室していることが検知されているときには、前記リモコンに前記温度変更指令を転送しない、請求項１または２に記載の給湯装置。
【請求項５】
前記サーバは、前記リモコンに前記温度変更指令を転送しない場合には、前記温度変更指令の拒絶を前記通信端末および前記リモコンに報知する、請求項４に記載の給湯装置。
【請求項６】
浴室を含む給湯先に接続される給湯回路と、前記浴室内の浴槽の湯水を加熱する追焚循環回路とを有する給湯器と、
前記浴室内の人の存在の有無を検知する人検知センサと、
給湯温度および前記浴槽の湯水の温度の少なくとも一方を変更するための温度変更指令を受け付けるように構成された通信端末と、
前記通信端末および前記給湯器の間で双方向に通信するための通信手段とを備え、
前記通信手段は、前記人検知センサにより検知された前記浴室内の人の存在の有無を示す情報を前記通信端末に伝送するように構成され、
前記通信端末は、前記人検知センサにより前記浴室内に人が不在であることが検知されているときには、前記温度変更指令を前記給湯器に転送する一方で、前記温度変更指令が入力された場合において、前記人検知センサにより前記浴室内に人が存在していることが検知されているときには、前記通信手段に前記温度変更指令を転送しない、給湯装置。
【請求項７】
前記通信端末は、前記通信手段に前記温度変更指令を転送しない場合には、前記温度変更指令の拒絶を前記通信端末のユーザに報知する、請求項６に記載の給湯装置。
【請求項８】
前記通信端末は、前記通信手段に前記温度変更指令を転送しない場合には、前記温度変更指令の拒絶を前記通信手段に報知する、請求項６または７に記載の給湯装置。
【発明の詳細な説明】
【技術分野】
【０００１】
本発明は、給湯装置に関し、特に、遠隔操作機能を備えた給湯装置に関する。
【背景技術】
【０００２】
携帯端末などの通信端末によって、宅内の給湯器を遠隔操作することができる遠隔操作機能を備えた給湯装置が公知である。たとえば、特開２０１５−１５６５９８号公報（特許文献１）には、通信端末から公衆回線を経由して送信される遠隔操作信号を通信処理装置が受け付けて、給湯器のコントローラに対し、遠隔操作信号に基づく制御指令を出力する構成が記載されている。これによれば、外部からの遠隔操作信号に基づいて給湯器を動作させることができるため、ユーザの利便性を高めることができる。
【０００３】
しかしながら、一方で、誤った遠隔操作によって、ユーザが意図しない給湯器の動作が行なわれてしまうことが懸念される。たとえば、入浴者がシャワー等を使用している場合に、宅外から給湯温度または風呂温度を変更する遠隔操作がなされると、不意の温度変更により入浴者に人に違和感や不快感を与えるおそれがある。
【０００４】
このような不具合を防止する対策として、たとえば、特開２０１６−８７２３号公報（特許文献２）には、入浴者が浴室リモコンを操作して、浴室優先モード（＝浴室外リモコンによる給湯設定温度の変更を禁止するモード）を設定している場合には、宅外の通信端末における給湯設定温度の変更操作を受け付け不可とする構成が記載されている。
【先行技術文献】
【特許文献】
【０００５】
【特許文献１】特開２０１５−１５６５９８号公報
【特許文献２】特開２０１６−８７２３号公報
【発明の概要】
【発明が解決しようとする課題】
【０００６】
しかしながら、浴室優先モードを有しない給湯装置に対しては、上記の対策は無効である。また、浴室優先モードを有する給湯装置であっても、入浴者が浴室優先モードに設定し忘れている場合には、不具合を防止することができない。
【０００７】
この発明は、上記課題に鑑みてなされたものであり、その目的は、遠隔操作機能を備えた給湯装置において、遠隔操作に基づいた不意の温度変更を防止することである。
【課題を解決するための手段】
【０００８】
この発明のある局面によれば、給湯装置は、給湯器と、浴室内の人の存在の有無を検知する人検知センサと、通信端末および給湯器の間で双方向に通信するための通信手段とを備える。給湯器は、浴室を含む給湯先に接続される給湯回路と、浴室内の浴槽の湯水を加熱する追焚循環回路とを有する。通信端末は、給湯温度および浴槽の湯水の温度の少なくとも一方を変更するための温度変更指令を受け付けるように構成される。通信手段は、人検知センサにより浴室内に人が不在であることが検知されているときには、通信端末からの温度変更指令を給湯器に転送する。一方で、人検知センサにより浴室内に人が在室していることが検知されているときには、通信手段は、通信端末からの温度変更指令を拒絶する。
【０００９】
上記給湯装置によれば、浴室に人が在室していることが判定されているときには、通信端末からの温度変更指令を拒絶する、すなわち、温度変更指令を受け付けない構成とすることで、浴室内の人の意図しない給湯温度および風呂温度の変更が禁止される。これにより、浴室内の人に違和感や不快感を与えることを防止することができる。
【００１０】
さらに、上記給湯装置では、入退室情報に基づいて温度変更指令の実行可否を判定する構成としたことにより、浴槽に人が入浴している最中の意図しない温度変更だけでなく、浴槽から出た人が浴室内で身体を洗っているときの意図しない温度変更も回避することができる。
【００１１】
好ましくは、通信手段は、通信端末からの温度変更指令を拒絶した場合には、通信端末に温度変更指令の拒絶を報知する。これによると、通信端末は、報知を示すメッセージを画面表示または音声によって出力することで、温度変更指令の実行が禁止されたことを通信端末のユーザに知らせることができる。
【００１２】
好ましくは、通信手段は、給湯器および人検知センサと通信するとともに、通信端末と無線通信するように構成されたリモコンを含む。リモコンは、通信端末からの温度変更指令を受信した場合において、人検知センサにより浴室内に人が在室していることが検知されているときには、給湯器に温度変更指令を転送しない。
【００１３】
このように構成すると、リモコンによって浴室内の人の意図しない給湯温度および風呂温度の変更が禁止されるため、浴室内の人に違和感や不快感を与えることを防止することができる。また、リモコンは、宅外の通信端末からの温度変更指令が拒絶されたことを、宅内のユーザに知らせることができる。
【００１４】
好ましくは、通信手段は、給湯器および人検知センサと通信するように構成されたリモコンと、リモコンと通信端末との間で無線通信するためのサーバとを含む。サーバは、通信端末からの温度変更指令を受信した場合において、人検知センサにより浴室内に人が在室していることが検知されているときには、リモコンに温度変更指令を転送しない。
【００１５】
このように構成すると、サーバによって浴室内の人の意図しない給湯温度および風呂温度の変更が禁止されるため、浴室内の人に違和感や不快感を与えることを防止することができる。
【００１６】
好ましくは、サーバは、リモコンに温度変更指令を転送しない場合には、温度変更指令の拒絶を通信端末およびリモコンに拒絶を報知する。これによると、サーバが温度変更指令を拒絶した場合においても、リモコンは、宅外の通信端末からの温度変更指令が拒絶されたことを、宅内のユーザに知らせることができる。
【００１７】
この発明の別の局面によれば、給湯装置は、給湯器と、浴室内の人の存在の有無を検知する人検知センサと、通信端末と、通信端末および給湯器の間で双方向に通信するための通信手段とを備える。給湯器は、浴室を含む給湯先に接続される給湯回路と、浴室内の浴槽の湯水を加熱する追焚循環回路とを有する。通信端末は、給湯温度および浴槽の湯水の温度の少なくとも一方を変更するための温度変更指令を受け付けるように構成される。通信手段は、人検知センサにより検知された浴室内の人の存在の有無を示す情報を通信端末に伝送するように構成される。通信端末は、人検知センサにより浴室内に人が不在であることが検知されているときには、温度変更指令を給湯器に転送する一方で、温度変更指令が入力された場合において、人検知センサにより前記浴室内に人が存在していることが検知されているときには、通信手段に前記温度変更指令を転送しない。
【００１８】
このように構成すると、通信端末によって浴室内の人の意図しない給湯温度および風呂温度の変更が禁止されるため、浴室内の人に違和感や不快感を与えることを防止することができる。
【００１９】
好ましくは、通信端末は、通信手段に温度変更指令を転送しない場合には、温度変更指令の拒絶を通信端末のユーザに報知する。これによると、温度変更指令の実行が禁止されたことを通信端末のユーザに知らせることができる。
【００２０】
好ましくは、通信端末は、通信手段に温度変更指令を転送しない場合には、温度変更指令の拒絶を通信手段に報知する。これによると、通信端末が温度変更指令を拒絶した場合においても、リモコンは、宅外の通信端末からの温度変更指令が拒絶されたことを、宅内のユーザに知らせることができる。
【発明の効果】
【００２１】
この発明によれば、遠隔操作機能を備えた給湯装置において、遠隔操作に基づいた不意の温度変更を防ぐことができる。
【図面の簡単な説明】
【００２２】
【図１】本発明の実施の形態１に係る給湯装置の構成を説明する概略図である。
【図２】本実施の形態１に係る給湯装置の構成を示す概略図である。
【図３】本実施の形態１に係る給湯装置が有する遠隔操作機能を説明するための機能ブロック図である。
【図４】携帯端末がユーザの温度変更指令を受け付けた場合における給湯装置（主に台所リモコン）の動作を説明するための状態フロー図である。
【図５】携帯端末がユーザの温度変更指令を受け付けた場合における給湯装置（主に台所リモコン）の動作を説明するための状態フロー図である。
【図６】携帯端末がユーザの温度変更指令を受け付けた場合における給湯装置（主に台所リモコン）の動作を説明するための状態フロー図である。
【図７】図４から図６で示した台所リモコンの動作を説明するためのフローチャートである。
【図８】携帯端末がユーザの温度変更指令を受け付けた場合における給湯装置（主にサーバ）の動作を説明するための状態フロー図である。
【図９】携帯端末がユーザの温度変更指令を受け付けた場合における給湯装置（主にサーバ）の動作を説明するための状態フロー図である。
【図１０】携帯端末がユーザの温度変更指令を受け付けた場合における給湯装置（主に携帯端末）の動作を説明するための状態フロー図である。
【図１１】携帯端末がユーザの温度変更指令を受け付けた場合における給湯装置（主に携帯端末）の動作を説明するための状態フロー図である。
【図１２】携帯端末がユーザの温度変更指令を受け付けた場合における給湯装置（主に携帯端末）の動作を説明するための状態フロー図である。
【図１３】図１１および図１２で示した携帯端末の動作を説明するためのフローチャートである。
【発明を実施するための形態】
【００２３】
以下に、本発明の実施の形態について図面を参照して詳細に説明する。なお、以下では図中の同一または相当部分には同一の符号を付して、その説明は原則的に繰返さないものとする。
【００２４】
［実施の形態１］
図１は、本発明の実施の形態１に係る給湯装置の構成を説明する概略図である。本実施の形態１に係る給湯装置１００は、遠隔操作機能を有している。本願明細書において、遠隔操作機能とは、通信端末から公衆網を経由して給湯装置１００に運転指令を与えることにより、給湯装置１００を遠隔操作する機能を意味する。
【００２５】
図１を参照して、給湯装置１００は、給湯器１０と、リモートコントローラ２０，３０とを備える。給湯器１０は、ガス等の燃料燃焼式またはヒートポンプ式で構成され、温水を供給する。給湯器１０からの温水は、図示しない給湯配管を経由して、浴槽、シャワー、カラン、浴室暖房乾燥機等へ供給される。
【００２６】
給湯器１０に対する運転指令は、リモートコントローラ２０，３０によって入力される。リモートコントローラ２０は通信線２１によって給湯器１０と接続されている。リモートコントローラ３０は通信線３１によって給湯器１０と接続されている。通信線２１，３１には、たとえば２心通信線が用いられる。なお、給湯器１０およびリモートコントローラ２０，３０間の通信は、公知のいかなる規格に従ったものであってもよく、また、有線であっても無線であってもよい。
【００２７】
リモートコントローラ２０は、浴室の外部であって、例えば、台所の壁面に配設される。以下では、リモートコントローラ２０を「台所リモコン２０」とも称する。台所リモコン２０は、給湯器１０の運転を入り切りするための運転スイッチ２２と、操作スイッチ２３と、表示部２５とを含む。運転スイッチ２２および操作スイッチ２３は、代表的には、プッシュボタンまたはタッチボタンによって構成することができる。表示部２５は、代表的には、液晶パネルによって構成することができる。
【００２８】
リモートコントローラ３０は、浴室の壁面に配設される。以下では、リモートコントローラ３０を「浴室リモコン３０」とも称する。浴室リモコン３０は、運転スイッチ３２と、操作スイッチ３３と、表示部３５とを含む。運転スイッチ３２および操作スイッチ３３は、代表的には、プッシュボタンまたはタッチボタンによって構成することができる。表示部３５は、代表的には、液晶パネルによって構成することができる。
【００２９】
台所リモコン２０は、無線通信による通信経路５１によってルータ４０と通信可能に構成されている。ルータ４０は、ネットワーク４５（インターネット）を経由してサーバ５０とアクセス可能に構成されている。したがって、台所リモコン２０は、ルータ４０を経由して、サーバ５０との間で双方向に通信することができる。
【００３０】
携帯端末４１Ａは、無線通信による通信経路５２Ａによってサーバ５０とアクセス可能に構成されている。携帯端末４１Ａは、代表的には、スマートフォンを用いることができる。携帯端末４１Ａとしてスマートフォンを用いる場合、基地局５３を経由してネットワーク４５に接続することによって、サーバ５０にアクセスすることができる。これにより、携帯端末４１Ａは、サーバ５０およびルータ４０を経由して、台所リモコン２０との間で双方向に通信することができる。
【００３１】
ルータ４０は、さらに、無線通信による通信経路５２Ｂを経由して携帯端末４１Ｂとアクセス可能に構成されている。携帯端末４１Ｂは、代表的には、スマートフォンを用いることができる。携帯端末４１Ｂは、ルータ４０を経由して、台所リモコン２０との間で双方向に通信することができる。
【００３２】
本実施の形態１に係る給湯装置１００は、後述するように、携帯端末４１Ａまたは４１Ｂから公衆網を経由して給湯装置１００に運転指令を与えることにより、給湯器１０を遠隔操作することができるように構成される。携帯端末４１Ａ，４１Ｂは「通信端末」の一実施例に対応する。
【００３３】
図２は、本実施の形態１に係る給湯装置１００の構成を示す概略図である。
図２を参照して、本実施の形態１に係る給湯装置１００は、給湯器１０を備える。風呂装置用浴槽（以下、単に「浴槽」と称す）６２は、浴室６０に設置され、かつ人Ｍ（入浴者）が入浴するための浴槽である。本実施の形態の給湯器１０は、浴槽６２に湯水６４を供給可能なものである。
【００３４】
給湯器１０は、筐体１、バーナ２（燃焼部）、ファン３、熱交換器４、給水配管５、給湯配管６、混合弁７、循環路８、温度センサ９，１７、ポンプ１６、水位センサ１１、コントローラ１２、二方弁１３、電気配線１４、スイッチ１５および人検知センサ３６を備える。
【００３５】
筐体１は、筐体１内外に連通するように設けられ、燃焼ガスを排気するための排気口１ａを有している。筐体１は、バーナ２、ファン３、熱交換器４、給水配管５、給湯配管６、混合弁７、温度センサ９、ポンプ１６、水位センサ１１、コントローラ１２および、二方弁１３を収容可能に構成されている。また、筐体１は、循環路８の一部を収容可能に構成されている。
【００３６】
バーナ２は、図示しない燃料供給系から燃料ガスの供給を受けて燃焼動作するように構成される。バーナ２は、燃焼ガスを熱交換器４に供給する。バーナ２は、給湯用のバーナ２ａと、追焚用のバーナ２ｂとを有する。
【００３７】
熱交換器４は、給湯用の熱交換器４ａと、追焚用の熱交換器４ｂとを有する。熱交換器４ａ，４ｂは、それぞれ、給湯器１０の高さ方向においてバーナ２ａ，２ｂよりも上方に配置されている。熱交換器４ａ，４ｂは、排気口１ａの近傍に配置されている。
【００３８】
熱交換器４ａは、バーナ２ａによって供給された燃焼ガスの熱を回収する。熱交換器４ｂは、バーナ２ｂによって供給された燃焼ガスの熱を回収する。熱交換器４ａ，４ｂの各々は、バーナ２の燃焼ガスの顕熱（燃焼熱）により入水を熱交換によって加熱する、一次熱交換器と、バーナ２からの燃焼排ガスの潜熱によって通流された水を熱交換によって加熱する、二次熱交換器とを含んでいてもよい。
【００３９】
熱交換器４ａの一方端に給水配管５が接続されており、他方端に給湯配管６が接続されている。給水配管５は、入水口５ａから熱交換器４ａに水道水等を給水する。給湯配管６は、熱交換器４ａから出湯口６ａに熱交換器４で加熱された湯水を給湯する。これにより、給水配管５から給水された水道水等は、熱交換器４ａによって所定温度（たとえば、ユーザによる設定温度）まで加熱されて給湯配管６から出湯される。給湯配管６に出湯された湯は、台所や浴室６０等の給湯栓（図示せず）または戻り配管８ａなどの所定の給湯箇所に給湯される。なお、給水配管５と給湯配管６とは混合弁７に接続されている。
【００４０】
温度センサ１７は、給湯配管６に設けられ、混合弁７からの水が混合された後の出湯温度（以下、「給湯温度」とも称す）を検知する。温度センサ１７は、たとえばサーミスタである。
【００４１】
ファン３は、バーナ２に燃焼用の空気を供給する。ファン３は、バーナ２ａに燃焼用の空気を供給するファン３ａと、バーナ２ｂに燃焼用の空気を供給するファン３ｂとを有する。ファン３ａ，３ｂの各々は、羽根と、羽根を回転させるためのモータとを有しており、モータに電流が印加されることにより羽根が回転して燃焼用の空気を供給するように構成されている。ファン３ａ，３ｂは、それぞれ、給湯器１０の高さ方向においてバーナ２ａ，２ｂの下方に配置されている。
【００４２】
循環路８は、浴槽６２に接続された状態で浴槽６２の湯水６４を循環するためのものであり、戻り配管８ａおよび往き配管８ｂを有する。戻り配管８ａは熱交換器４ｂの入力側と接続されており、往き配管８ｂは熱交換器４ｂの出力側と接続されている。
【００４３】
戻り配管８ａは、浴槽６２から熱交換器４ｂに湯水６４を供給する。往き配管８ｂは、熱交換器４ｂから浴槽６２に、熱交換器４ｂで暖められた湯水６４を供給する。これにより、浴槽６２から熱交換器４ｂに供給された湯水６４は、熱交換器４ｂを通流する際に燃焼ガスによって加熱されて再び浴槽６２に供給される。
【００４４】
戻り配管８ａには、温度センサ９、ポンプ１６および水位センサ１１が接続されている。戻り配管８ａと給湯配管６とは二方弁１３に接続されている。二方弁１３は、給湯配管６から湯水を戻り配管８ａに供給するように構成されている。二方弁１３を開くことにより、給湯配管６から戻り配管８ａを経由して、所定温度に加熱された湯が浴槽６２に導入される。
【００４５】
温度センサ９は、循環路８内の湯水６４の温度を検知することによって、浴槽６２内の湯水６４の温度（以下、「風呂温度」とも称す）を検知する。温度センサ９は、たとえばサーミスタである。
【００４６】
ポンプ１６は、浴槽６２および循環路８に湯水を循環させる。ポンプ１６が作動すると、浴槽６２からの湯水６４は、戻り配管８ａ、熱交換器４ｂおよび往き配管８ｂを経由して、浴槽６２へ至る経路を循環する。これにより、浴槽６２と熱交換器４ｂとの間に湯水６４を循環ざせる「追焚循環回路」が形成される。
【００４７】
水位センサ１１は、循環路８を循環する湯水６４の水圧に基づいて、浴槽６２の湯水６４の水位を検知する。水位センサ１１は、たとえば圧力センサである。本実施の形態では、水位センサ１１は、人Ｍが浴槽６２に入ったこと（入浴したこと）を検知するための入浴センサを兼ね備えている。
【００４８】
コントローラ１２は、台所リモコン２０および浴室リモコン３０からのユーザの入力設定操作に基づき、給湯装置１００がユーザ指示に従って運転されるように、給湯器１０の動作を制御する。たとえば、コントローラ１２は、マイクロコンピュータおよびメモリを含んで構成することができる。
【００４９】
コントローラ１２は、バーナ２ａ，２ｂ、ファン３ａ，３ｂ、温度センサ９，１７、ポンプ１６、水位センサ１１、二方弁１３、電気配線１４およびスイッチ１５と電気的に接続されている。電気配線１４は、図示しない電源に接続されることにより、コントローラ１２に電力を供給するように構成されている。コントローラ１２は、浴室リモコン３０および台所リモコン２０と通信可能に接続されている。なお、これらの機器間の通信は、公知のいかなる規格に従ったものであってもよく、また、有線であっても無線であってもよい。
【００５０】
スイッチ１５は、水位センサ１１を駆動させる。人検知センサ３６が人Ｍが浴室６０に入室したことを検知した場合にスイッチ１５が導通（オン）状態にされ、人検知センサ３６が人Ｍが浴室６０から退室したことを検知した場合にスイッチ１５が遮断（オフ）状態にされるように構成されている。水位センサ１１は、スイッチ１５がオン状態のときに駆動されて浴槽６２の湯水６４の水位を検知し、検知した水位を示す信号をコントローラ１２に出力する。
【００５１】
浴室リモコン３０は、浴室６０の壁面に設置されている。浴室リモコン３０の表示部３５は、浴槽６２の湯水６４の水位および温度を表示することができる。操作スイッチ３３は、浴槽６２の湯水６４の水位および温度に関する設定操作を受け付けることができる。
【００５２】
台所リモコン２０は、浴室６０の外部（例えば、台所の壁面）に設置されている。台所リモコン２０の表示部２５は、設定給湯温度および浴槽６２の湯水６４の温度などを表示することができる。操作スイッチ２３は、給湯器１０の運転に関する設定操作を受け付けることができる。
【００５３】
人検知センサ３６は、浴室６０の内部に設置されており、浴室６０内の人Ｍの存在の有無を検知するように構成されている。人検知センサ３６は、たとえば焦電型赤外線センサである。焦電型赤外線センサは、物体の動作等によって視野内に熱エネルギーの変化が生じたときに検知信号を発生する。このため、浴室６０内で人が動くと、これに応じて検知信号が発生される。人検知センサ３６は、浴室リモコン３０のケースに内蔵されて、ケースに設けられた開口部から浴室６０内を視野内に収めるように配置される。人検知センサ３６は、焦電型赤外線センサに限定されず、たとえば、電波センサおよび超音波センサであってもよい。
【００５４】
また、人検知センサ３６は、たとえば、浴室６０の天井に設置された浴室暖房機（図示せず）のケースに設けられてもよい。あるいは、人検知センサ３６は、たとえば、浴室６０の照明のスイッチのように、入室時に人Ｍが操作するスイッチであってもよい。
【００５５】
図３は、本実施の形態１に係る給湯装置１００が有する遠隔操作機能を説明するための機能ブロック図である。
【００５６】
図３を参照して、給湯器１０は、コントローラ１２および通信部１８を有する。コントローラ１２は、マイクロコンピュータ、メモリおよび図示しないＣＰＵ（Central  Processing  Unit）および入出力インターフェイスを内蔵する。通信部１８は、通信線２１，３１を用いた通信機能を有する。コントローラ１２は、台所リモコン２０および浴室リモコン３０へ入力されたユーザ指令に従って、給湯器１０の動作を制御する。代表的には、コントローラ１２によって、給湯器１０からの給湯温度が制御される。
【００５７】
台所リモコン２０は、運転スイッチ２２および操作スイッチ２３と、表示部２５と、制御部２６と、通信部２７，２８とを有する。制御部２６は、マイクロコンピュータおよびメモリを含んで構成することができる。通信部２８は、通信線２１を用いた通信機能を有する。通信部２７は、たとえば、無線ＬＡＮ（Local  Area  Network）モジュールにより構成され、ルータ４０を経由した通信経路５１によってサーバ５０にアクセスすることが可能である。
【００５８】
浴室リモコン３０は、運転スイッチ３２および操作スイッチ３３と、表示部３５と、人検知センサ３６と、制御部３７と、通信部３８とを有する。制御部３７は、マイクロコンピュータおよびメモリを含んで構成することができる。通信部３８は、通信線３１を用いた通信機能を有する。したがって、給湯器１０、台所リモコン２０および浴室リモコン３０の各々は、通信部３１，２８，３８および通信線２１，３１を用いて、互いに双方向に通信することができる。
【００５９】
上記構成において、給湯器１０のコントローラ１２は、浴室リモコン３０に内蔵される人検知センサ３６から送信される検知信号を、通信部３８、通信線３１および通信部１８を経由して受信する。コントローラ１２は、人検知センサ３６から送信される検知信号に基づいて、浴室６０内に人が在室しているか、あるいは不在であるかを判定する。たとえば、人検知センサ３６が焦電型赤外線センサである場合には、コントローラ１２は、周囲の温度状況から熱エネルギーの変化があったときに浴室６０に人が入室したものと判定する。また、コントローラ１２は、所定時間継続して熱エネルギーの変化がない場合に浴室６０から人が退室したものと判定する。
【００６０】
コントローラ１２は、また、水位センサ１１から送信される検知信号に基づいて、人が浴槽６２に入ったか（入浴したか）、あるいは、人が浴槽６２から出たか（退浴したか）を判定する。具体的には、コントローラ１２は、浴槽６２に対する注水等が無いにもかかわらず、水位センサ１１が浴槽６２の水位の上昇を検知した場合、人が浴槽６２に入った（すなわち、人が入浴した）と判定する。また、人が入浴したと判定した後に、水位センサ１１が浴槽６２の水位の低下を検知した場合、人が浴槽６２から出た（すなわち、人が退浴した）と判定する。
【００６１】
コントローラ１２は、また、温度センサ９により検知される戻り配管８ａを流れる湯水６４の温度に基づいて、浴槽６２の湯水６４の温度（風呂温度）を判定する。
【００６２】
コントローラ１２は、これらの判定結果に基づいて、二方弁１３、バーナ２ａ，２ｂ、ファン３ａ，３ｂおよびポンプ１６の動作を制御する。具体的には、コントローラ１２は、水位センサ１１の検知信号により判定される浴槽６２の水位が設定水位になるように二方弁１３を動作させて給湯配管６から湯水６４を浴槽６２に供給する。また、コントローラ１２は、人検知センサ３６の検知信号により浴室６０への人の入室が判定されたときには、温度センサ９の検知信号から判定される風呂温度が設定温度になるようにバーナ２ａ、ファン３ａおよびポンプ１６を動作させて湯水６４を加熱する。また、コントローラ１２は、人検知センサ３６の検知信号により浴室６０からの人の退室が判定されたときには、バーナ２ａ、ファン３ａおよびポンプ１６を停止させる。
【００６３】
コントローラ１２は、さらに、浴室６０内に人が在室しているか不在であるかを示す情報(以下、「入退室情報」とも称す）、浴槽６２に人が入浴したか退浴したかを示す情報（以下、「入退浴情報」とも称する）、給湯温度を示す情報（以下、「給湯温度情報」とも称す）、および風呂温度を示す情報（以下、「風呂温度情報」とも称す）を、通信部１８から通信線２１および通信部２８を経由して、台所リモコン２０の制御部２６に向けて送信する。
【００６４】
台所リモコン２０の制御部２６は、コントローラ１２から受信した入退室情報、入退浴情報、給湯温度情報および風呂温度情報を、通信部２７からルータ４０を経由してサーバ５０にアップロードすることができる。
【００６５】
携帯端末４１Ａは、サーバ５０へのアクセス機能を有する。したがって、携帯端末４１Ａは、通信経路５２Ａ、基地局５３、ネットワーク４５、サーバ５０、ルータ４０および通信経路５１および通信部２７を用いて、台所リモコン２０と双方向に通信することができる。たとえば、携帯端末４１Ａは、サーバ５０にアクセスすることによって、サーバ５０に蓄積されている入退室情報、入退浴情報、給湯温度情報および風呂温度情報を取得することができる。
【００６６】
携帯端末４１Ｂは、ルータ４０を経由した通信経路５２Ｂ，５１および通信部２７を用いて、台所リモコン２０と双方向に通信することができる。したがって、携帯端末４１Ｂは、台所リモコン２０から、入退室情報、入退浴情報、給湯温度情報および風呂温度情報を取得することができる。携帯端末４１Ａ，４１Ｂは、取得した情報を画面に表示させることができる。
【００６７】
携帯端末４１Ａ，４１Ｂは、さらに、ユーザからの給湯器１０の運転指令を受け付けることができる。たとえば、ユーザはスマートフォンの画面操作により給湯器１０の運転指令を入力することができる。なお、携帯端末４１Ａ，４１Ｂが受け付ける運転指令には、給湯温度または風呂温度を変更するための指令（以下、「温度変更指令」とも称す）が含まれる。したがって、ユーザは、たとえば外出先から携帯端末４１Ａ，４１Ｂを用いて、給湯温度および風呂温度を遠隔的に変更することができる。
【００６８】
携帯端末４１Ａへ入力されたユーザ指令は、サーバ５０にアップロードされる。台所リモコン２０は、サーバ５０からユーザ指令をダウンロードすると、そのユーザ指令を給湯器１０のコントローラ１２に転送する。
【００６９】
携帯端末４１Ｂへ入力されたユーザ指令は、ルータ４０を経由して台所リモコン２０に伝送される。台所リモコン２０は、受信したユーザ指令を給湯器１０のコントローラ１２に転送する。
【００７０】
コントローラ１２は、転送されたユーザ指令に従って、給湯器１０の動作を制御する。具体的には、給湯温度を上げる温度変更指令が与えられた場合、コントローラ１２は、温度センサ１７により検知される給湯温度が、温度変更指令が指示する給湯設定温度に一致するように、バーナ２ａの発生熱量を制御する。一方、給湯温度を下げる温度変更指令が与えられた場合には、コントローラ１２は、温度センサ１７により検知される給湯温度が、温度変更指令が指示する給湯設定温度に一致するように、混合弁７の開度を制御する。
【００７１】
また、風呂温度を上げる温度変更指令が与えられた場合には、コントローラ１２は、浴槽６２内の湯水６４を循環加熱する追焚運転を実行する。コントローラ１２は、ポンプ１６を作動させて追焚循環回路に湯水６４を循環させることにより、湯水６４を昇温する。温度センサ９により検知される風呂温度が、温度変更指令が指示する風呂設定温度に達すると、コントローラ１２は追焚運転を停止する。
【００７２】
一方、風呂温度を下げる温度変更指令が与えられた場合には、コントローラ１２は、バーナ２ａ，２ｂが停止された下で二方弁１３を開くことにより、給湯配管６から戻り配管８ａを経由して、非加熱水を浴槽６２に導入する足し水運転を実行する。温度センサ９により検知される風呂温度が、温度変更指令が指示する風呂設定温度に達すると、コントローラ１２は足し水運転を停止する。
【００７３】
なお、本願明細書における「温度変更指令」には、給湯温度および風呂温度の変更指令に加えて、「追焚運転指令」および「足し水運転指令」を含めることができる。追焚運転指令は、追焚運転が指示された時点での風呂温度を所定温度だけ高い温度に上昇させるための指令である。すなわち、本願明細書における「温度変更指令」は、給湯温度または風呂温度の変更に繋がる運転指令を含むものである。
【００７４】
以上説明したように、本実施の形態１に係る給湯装置１００によれば、ユーザは、携帯端末４１Ａ，４１Ｂを用いて給湯器１０を遠隔操作することができる。この遠隔操作には、給湯温度および風呂温度の変更が含まれる。
【００７５】
しかしながら、図１に示すように、浴室６０内で人が入浴している状況において、給湯器１０の遠隔操作がなされることで、人が予期しないタイミングで給湯温度または風呂温度が変更される場合が起こり得る。たとえば、浴室６０内で人がシャワーを浴びている最中に遠隔操作によって給湯温度が変更されると、人に違和感、場合によっては不快感を与える可能性がある。人が入浴中に遠隔操作によって風呂温度が変更されることによっても同様のことが言える。
【００７６】
そこで、本実施の形態１に係る給湯装置１００では、浴室６０に人が在室していることが判定されているときには、携帯端末４１Ａ，４１Ｂからの温度変更指令を受け付けない、すなわち、温度変更指令を拒絶する構成とする。これによると、浴室６０内の人の意図しない給湯温度および風呂温度の変更が禁止されることになるため、人に違和感や不快感を与えることを防止することができる。
【００７７】
以下、携帯端末４１Ａ，４１Ｂから温度変更指令が入力された場合における給湯装置１００の動作について説明する。
【００７８】
図４および図５は、携帯端末４１Ａがユーザの温度変更指令を受け付けた場合における給湯装置１００の動作を説明するための状態フロー図である。
【００７９】
図４を参照して、給湯器１０は、水位センサ１１の検知信号に基づいた入退浴情報を台所リモコン２０に送信する。浴室リモコン３０は、人検知センサ３６の検知信号に基づいた入退室情報を給湯器１０および台所リモコン２０に送信する。
【００８０】
台所リモコン２０は、受信した入退浴情報および入退室情報をサーバ５０にアップロードする。図４では、入退浴情報は、浴槽６２から人が退浴していることを示し、入退室情報は、浴室６０に人が不在であることを示すものとする。
【００８１】
携帯端末４１Ａは、ユーザの温度変更指令が入力されると、温度変更指令をサーバ５０にアップロードする。
【００８２】
台所リモコン２０は、サーバ５０から温度変更指令をダウンロードすると、入退室情報に基づいて、温度変更指令を実行することができるか否かを判定する。図４の例では、浴室６０内に人が不在であるため、給湯温度および風呂温度を変更しても、人に違和感や不快感を与える可能性がないと判断される。したがって、台所リモコン２０は、温度変更指令を実行可能であると判定する。
【００８３】
温度変更指令が実行可能であると判定されると、台所リモコン２０は、温度変更指令を給湯器１０へ転送する。給湯器１０のコントローラ１２は、温度変更指令を受信すると、温度変更指令に従って給湯器１０の動作を制御する。
【００８４】
これに対して、図５では、入退浴情報は、浴槽６２から人が入浴していることを示し、入退室情報は、浴室６０に人が在室していることを示すものとする。図５の例では、浴室６０内に人が在室しているため、給湯温度および風呂温度を変更すると、人に違和感や不快感を与える可能性があると判断される。したがって、台所リモコン２０は、温度変更指令を実行不可能であると判定する。
【００８５】
温度変更指令が実行不可能であると判定されると、台所リモコン２０は、温度変更指令に基づいた温度変更を禁止する。したがって、台所リモコン２０は、温度変更指令を給湯器１０に転送しない。台所リモコン２０は、表示部２５を用いて、宅内のユーザに宅外からの温度変更指令が拒絶された旨を報知することができる。台所リモコン２０は、さらに、サーバ５０を経由して、携帯端末４１Ａに向けて温度変更指令が拒絶された旨を報知することができる。
【００８６】
携帯端末４１Ａは、台所リモコン２０からの報知を受けると、報知を示すメッセージを画面表示または音声によって出力することで、温度変更指令の実行が禁止されたことをユーザに知らせることができる。
【００８７】
図６は、携帯端末４１Ｂがユーザの温度変更指令を受け付けた場合における給湯装置１００の動作を説明するための状態フロー図である。
【００８８】
給湯器１０は、水位センサ１１の検知信号に基づいた入退浴情報を台所リモコン２０に送信する。浴室リモコン３０は、人検知センサ３６の検知信号に基づいた入退室情報を給湯器１０および台所リモコン２０に送信する。
【００８９】
台所リモコン２０は、受信した入退浴情報および入退室情報をルータ４０を経由して携帯端末４１Ｂに伝送することができる。図６では、入退浴情報は、浴槽６２から人が入浴していることを示し、入退室情報は、浴室６０に人が在室していることを示すものとする。
【００９０】
携帯端末４１Ｂは、ユーザの温度変更指令が入力されると、温度変更指令をルータ４０を経由して台所リモコン２０へ送信する。
【００９１】
図６の例では、浴室６０内に人が在室しているため、図５と同様に、台所リモコン２０は、温度変更指令を実行不可能であると判定する。したがって、台所リモコン２０は、温度変更指令に基づいた温度変更を禁止し、温度変更指令を給湯器１０に転送しない。台所リモコン２０は、表示部２５を用いて、宅内のユーザに宅外からの温度変更指令が拒絶された旨を報知することができる。台所リモコン２０は、さらに、ルータ４０を経由して、携帯端末４１Ｂに向けて温度変更指令が拒絶された旨を報知することができる。
【００９２】
携帯端末４１Ｂは、台所リモコン２０からの報知を受けると、報知を示すメッセージを画面表示または音声によって出力することで、温度変更指令の実行が禁止されたことをユーザに知らせることができる。
【００９３】
図４から図６では、台所リモコン２０が、携帯端末４１Ａ，４１Ｂからの温度変更指令を実行可能か否かを判定し、実行不可能である場合に温度変更を禁止する主体となる構成について説明した。台所リモコン２０の動作は、図７のフローチャートで表すことができる。図７のフローチャートは、台所リモコン２０の制御部２６により所定の周期で繰り返し実行される。
【００９４】
図７を参照して、台所リモコン２０の制御部２６は、ステップＳ０１により、浴室リモコン３０から入退室情報を受信する。制御部２６は、さらに、ステップＳ０２により、給湯器１０から入退浴情報を受信する。
【００９５】
制御部２６は、ステップＳ０３により、携帯端末４１Ａ，４１Ｂからの温度変更指令を受信したか否かを判定する。携帯端末４１Ａ，４１Ｂのいずれもから温度変更指令を受信していないと判定されると（Ｓ０３のＮＯ判定時）、制御部２６は処理を終了する。
【００９６】
一方、ステップＳ０３にて携帯端末４１Ａ，４１Ｂのいずれかからの温度変更指令を受信したと判定されると（Ｓ０３のＹＥＳ判定時）、制御部２６は、ステップＳ０４に進み、入退室情報に基づいて、浴室６０内に人が在室しているか否かを判定する。浴室６０内に人が不在である場合（Ｓ０４のＮＯ判定時）、制御部２６は、温度変更指令を実行可能であると判断して、ステップＳ０５により、温度変更指令を給湯器１０に転送する。
【００９７】
一方、浴室６０内に人が在室している場合（Ｓ０４のＹＥＳ判定時）、制御部２６は、温度変更指令を実行不可能であると判断して、ステップＳ０６により、温度変更指令に基づく温度変更を禁止する。制御部２６は、ステップＳ０７により、サーバ５０を経由して、温度変更指令を送信した携帯端末に対して、温度変更指令が実行不可能である旨を報知する。
【００９８】
以上説明したように、実施の形態１に係る給湯装置１００によれば、浴室６０に人が在室していることが判定されているときには、携帯端末４１Ａ，４１Ｂからの温度変更指令が拒絶されるため、浴室内の人の意図しない給湯温度および風呂温度の変更が禁止される。したがって、人に違和感や不快感を与えることを防止することができる。
【００９９】
さらに、実施の形態１に係る給湯装置１００では、入退室情報に基づいて温度変更指令の実行可否を判定する構成としたことにより、浴槽６２に人が入浴している最中の意図しない温度変更だけでなく、浴槽６２から出た人が浴室６０内で身体を洗っているときの意図しない温度変更も回避することができる。
【０１００】
［実施の形態２］
以下の実施の形態では、携帯端末４１Ａ，４１Ｂからの温度変更指令の実行可否を判定する主体が異なる構成を順次説明する。実施の形態２では、サーバ５０を主体とした給湯装置１００の動作について説明する。
【０１０１】
図８および図９は、携帯端末４１Ａがユーザの温度変更指令を受け付けた場合における給湯装置１００の動作を説明するための状態フロー図である。
【０１０２】
図８を参照して、給湯器１０は、水位センサ１１の検知信号に基づいた入退浴情報を台所リモコン２０に送信する。浴室リモコン３０は、人検知センサ３６の検知信号に基づいた入退室情報を給湯器１０および台所リモコン２０に送信する。
【０１０３】
台所リモコン２０は、受信した入退浴情報および入退室情報をサーバ５０にアップロードする。図８では、入退浴情報は、浴槽６２から人が退浴していることを示し、入退室情報は、浴室６０に人が不在であることを示すものとする。
【０１０４】
携帯端末４１Ａは、ユーザの温度変更指令が入力されると、温度変更指令をサーバ５０にアップロードする。
【０１０５】
サーバ５０は、温度変更指令を受信すると、入退室情報に基づいて、温度変更指令を実行することができるか否かを判定する。図８の例では、浴室６０内に人が不在であるため、給湯温度および風呂温度を変更しても、人に違和感や不快感を与える可能性がないと判断される。したがって、サーバ５０は、温度変更指令を実行可能であると判定する。
【０１０６】
温度変更指令が実行可能であると判定されると、サーバ５０は、温度変更指令を台所リモコン２０へ転送する。台所リモコン２０は、温度変更指令を給湯器１０へ転送する。給湯器１０のコントローラ１２は、温度変更指令を受信すると、温度変更指令に従って給湯器１０の動作を制御する。
【０１０７】
これに対して、図９では、入退浴情報は、浴槽６２から人が退浴していることを示し、入退室情報は、浴室６０に人が在室していることを示すものとする。図９の例では、浴室６０内に人が在室しているため、給湯温度および風呂温度を変更すると、人に違和感や不快感を与える可能性があると判断される。したがって、サーバ５０は、温度変更指令を実行不可能であると判定する。
【０１０８】
温度変更指令が実行不可能であると判定されると、サーバ５０は、温度変更指令に基づいた温度変更を禁止する。したがって、サーバ５０は、温度変更指令を台所リモコン２０に転送しない。サーバ５０は、台所リモコン２０に向けて、温度変更指令が拒絶された旨を報知することができる。これにより、台所リモコン２０は、宅内のユーザに宅外からの温度変更指令が拒絶された旨を報知することができる。サーバ５０は、さらに、携帯端末４１Ａに向けて温度変更指令が拒絶された旨を報知することができる。
【０１０９】
携帯端末４１Ａは、サーバ５０からの報知を受けると、報知を示すメッセージを画面表示または音声によって出力することで、温度変更指令の実行が禁止されたことをユーザに知らせることができる。
【０１１０】
なお、図８および図９に示したサーバ５０の動作は、図７のフローチャートを流用することができる。ただし、本実施の形態２では、図７のフローチャートは、サーバ５０により所定の周期で繰り返し実行されることになる。
【０１１１】
以上説明したように、実施の形態２に係る給湯装置１００は、台所リモコン２０および携帯端末４１Ａの間の通信を中継するサーバ５０を主体として、浴室６０内に人が在室している場合には、携帯端末４１Ａからの温度変更指令を拒絶するように構成される。したがって、実施の形態１に係る給湯装置と同様の作用効果を得ることができる。
【０１１２】
なお、ルータ４０を経由して台所リモコン２０と通信する携帯端末４１Ｂからの温度変更指令に対しては、実施の形態１で説明したように、台所リモコン２０が温度変更指令の実行可否を判定する構成とすることができる。
【０１１３】
［実施の形態３］
実施の形態３では、携帯端末４１Ａ，４１Ｂを主体とした給湯装置１００の動作について説明する。
【０１１４】
図１０および図１１は、携帯端末４１Ａがユーザの温度変更指令を受け付けた場合における給湯装置１００の動作を説明するための状態フロー図である。
【０１１５】
図１０を参照して、給湯器１０は、水位センサ１１の検知信号に基づいた入退浴情報を台所リモコン２０に送信する。浴室リモコン３０は、人検知センサ３６の検知信号に基づいた入退室情報を給湯器１０および台所リモコン２０に送信する。
【０１１６】
台所リモコン２０は、受信した入退浴情報および入退室情報をサーバ５０にアップロードする。図１０では、入退浴情報は、浴槽６２から人が退浴していることを示し、入退室情報は、浴室６０に人が不在であることを示すものとする。
【０１１７】
携帯端末４１Ａは、サーバ５０から入退浴情報および入退室情報をダウンロードする。携帯端末４１Ａは、ユーザの温度変更指令が入力されると、入退室情報に基づいて、温度変更指令を実行することができるか否かを判定する。図１０の例では、浴室６０内に人が不在であるため、給湯温度および風呂温度を変更しても、人に違和感や不快感を与える可能性がないと判断される。したがって、携帯端末４１Ａは、温度変更指令を実行可能であると判定する。
【０１１８】
温度変更指令が実行可能であると判定されると、携帯端末４１Ａは、温度変更指令をサーバ５０にアップロードする。サーバ５０は、温度変更指令をダウンロードして台所リモコン２０へ転送する。台所リモコン２０は、温度変更指令を給湯器１０へ転送する。給湯器１０のコントローラ１２は、温度変更指令を受信すると、温度変更指令に従って給湯器１０の動作を制御する。
【０１１９】
これに対して、図１１では、入退浴情報は、浴槽６２から人が入浴していることを示し、入退室情報は、浴室６０に人が在室していることを示すものとする。図１１の例では、浴室６０内に人が在室しているため、給湯温度および風呂温度を変更すると、人に違和感や不快感を与える可能性があると判断される。したがって、携帯端末４１Ａは、温度変更指令を実行不可能であると判定する。
【０１２０】
温度変更指令が実行不可能であると判定されると、携帯端末４１Ａは、温度変更指令に基づいた温度変更を禁止する。したがって、携帯端末４１Ａは、温度変更指令をサーバ５０に転送しない。携帯端末４１Ａは、サーバ５０を経由して台所リモコン２０に向けて、温度変更指令が拒絶された旨を報知することができる。これにより、台所リモコン２０は、宅内のユーザに宅外からの温度変更指令が拒絶された旨を報知することができる。携帯端末４１Ａは、さらに、画面表示または音声を用いて、温度変更指令が実行不可能である旨を報知することにより、温度変更指令の実行が禁止されたことをユーザに知らせる。
【０１２１】
図１２は、携帯端末４１Ｂがユーザの温度変更指令を受け付けた場合における給湯装置１００の動作を説明するための状態フロー図である。
【０１２２】
給湯器１０は、水位センサ１１の検知信号に基づいた入退浴情報を台所リモコン２０に送信する。浴室リモコン３０は、人検知センサ３６の検知信号に基づいた入退室情報を給湯器１０および台所リモコン２０に送信する。
【０１２３】
台所リモコン２０は、受信した入退浴情報および入退室情報をルータ４０を経由して携帯端末４１Ｂに伝送することができる。図１２では、入退浴情報は、浴槽６２から人が入浴していることを示し、入退室情報は、浴室６０に人が在室していることを示すものとする。
【０１２４】
携帯端末４１Ｂは、ユーザの温度変更指令が入力されると、入退室情報に基づいて、温度変更指令を実行することができるか否かを判定する。図１２の例では、浴室６０内に人が在室しているため、図１１と同様に、携帯端末４１Ｂは、温度変更指令を実行不可能であると判定する。したがって、携帯端末４１Ｂは、温度変更指令に基づいた温度変更を禁止し、温度変更指令を台所リモコン２０に伝送しない。携帯端末４１Ｂは、さらに、画面表示または音声を用いて、温度変更指令が拒絶された旨を報知することにより、温度変更指令の実行が禁止されたことをユーザに知らせる。
【０１２５】
図１０から図１２に示した携帯端末４１Ａ，４１Ｂの動作は、図１３のフローチャートで表すことができる。図１３のフローチャートは、携帯端末４１Ａ，４１Ｂにて所定の周期で繰り返し実行される。
【０１２６】
図１３を参照して、携帯端末４１Ａ，４１Ｂは、ステップＳ１１により、浴室リモコン３０から入退室情報を受信する。携帯端末４１Ａ，４１Ｂは、さらに、ステップＳ１２により、給湯器１０から入退浴情報を受信する。
【０１２７】
携帯端末４１Ａ，４１Ｂは、ステップＳ１３により、ユーザの温度変更指令が入力されたか否かを判定する。ユーザの温度変更指令が入力されていないと判定されると（Ｓ１３のＮＯ判定時）、携帯端末４１Ａ，４１Ｂは処理を終了する。
【０１２８】
一方、ステップＳ１３にてユーザの温度変更指令が入力されたと判定されると（Ｓ１３のＹＥＳ判定時）、携帯端末４１Ａ，４１Ｂは、ステップＳ１４に進み、入退室情報に基づいて、浴室６０内に人が在室しているか否かを判定する。浴室６０内に人が不在である場合（Ｓ１４のＮＯ判定時）、携帯端末４１Ａ，４１Ｂは、温度変更指令を実行可能であると判断して、ステップＳ１５により、温度変更指令を台所リモコン２０に伝送する。
【０１２９】
一方、浴室６０内に人が在室している場合（Ｓ１４のＹＥＳ判定時）、携帯端末４１Ａ，４１Ｂは、温度変更指令を実行不可能であると判断して、ステップＳ１６により、温度変更指令に基づく温度変更を禁止する。携帯端末４１Ａ，４１Ｂは、ステップＳ１７により、温度変更指令が実行不可能である旨をユーザに報知する。
【０１３０】
以上説明したように、実施の形態３に係る給湯装置１００は、携帯端末４１Ａ，４１Ｂを主体として、浴室６０内に人が在室している場合には、ユーザの温度変更指令を拒絶するように構成される。したがって、実施の形態１に係る給湯装置と同様の作用効果を得ることができる。
【０１３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３２】
１  筐体、１ａ  排気口、２，２ａ，２ｂ  バーナ、３，３ａ，３ｂ  ファン、４，４ａ，４ｂ  熱交換器、５  給水配管、５ａ  入水口、６  給湯配管、６ａ  出湯口、７  混合弁、８  循環路、８ａ  戻り配管、８ｂ  往き配管、９，１７  温度センサ、１０  給湯器、１１  水位センサ、１２  コントローラ、１３  二方弁、１４  電気配線、１５  スイッチ、１６  ポンプ、１８，２７，２８，３８  通信部、２０  台所リモコン、２１，３１  通信線、３０  浴室リモコン、２２，３２  運転スイッチ、２３，３３  操作スイッチ、２５，３５  表示部、２６，３７  制御部、３６  人検知センサ、４１Ａ，４１Ｂ  携帯端末、４５  ネットワーク、５０  サーバ、５１，５２Ａ，５２Ｂ  通信経路、５３  基地局、６０  浴室、６２  浴槽、６４  湯水、１００  給湯装置。
【図１】
2019113287.tif 000003
【図２】
2019113287.tif 000004
【図３】
2019113287.tif 000005
【図４】
2019113287.tif 000006
【図５】
2019113287.tif 000007
【図６】
2019113287.tif 000008
【図７】
2019113287.tif 000009
【図８】
2019113287.tif 000010
【図９】
2019113287.tif 000011
【図１０】
2019113287.tif 000012
【図１１】
2019113287.tif 000013
【図１２】
2019113287.tif 000014
【図１３】
2019113287.tif 000015